(57)【要約】      （修正有）【課題】柄部と打撃部とを被覆する被覆部を設けた構造にする警棒において、特に柄部の部位の被覆部を皮革部材で形成することで、手で持ち易く、使用していても型くずれしない構造にし、且つ手の汗が容易にしみこまない構造にしたソフト警棒を提供する。【解決手段】逮捕術用ソフト警棒は、打撃を行ったときの衝撃を緩衝することができる逮捕術用ソフト警棒であって、細長い円柱形状に形成した打撃部１１と、該打撃部と隣接して前記打撃部より小径の円柱形状で手の把持部１３となる柄部１２と、前記打撃部及び前記柄部の中心を貫通するような芯部１４とを備える。さらに、前記打撃部及び前記柄部を被覆するように備えられた被覆部１６は、前記打撃部を被覆する帆布で形成された打撃被覆部２３と、前記柄部を被覆する皮革部材で形成された柄被覆部２４とからなり、前記打撃被覆部と前記柄被覆部とを縫い合わせて結合させる。【選択図】図１
0003159063.tif 000002
【実用新案登録請求の範囲】
【請求項１】
打撃を行ったときの衝撃を緩衝することができる逮捕術用ソフト警棒であって、
細長い円柱形状に形成した打撃部と、
該打撃部と隣接して前記打撃部より小径の円柱形状で手の把持部となる柄部と、
前記打撃部及び前記柄部の中心を貫通するような芯部とを備え、
前記打撃部及び前記柄部を被覆するように備えられた被覆部は、前記打撃部を被覆する帆布で形成された打撃被覆部と、前記柄部を被覆する皮革部材で形成された柄被覆部とからなり、
前記打撃被覆部と前記柄被覆部とを付き合わせて結合させたことを特徴とする逮捕術用ソフト警棒。
【請求項２】
前記打撃被覆部と前記柄被覆部とを付き合わせての結合は縫い合わせて結合したことである請求項１に記載の逮捕術用ソフト警棒。
【考案の詳細な説明】
【技術分野】
【０００１】
本考案は、逮捕術用ソフト警棒に関し、詳しくは打撃を行ったときの衝撃を緩衝することができる逮捕術用ソフト警棒に関する。
【背景技術】
【０００２】
従来の逮捕術用ソフト警棒は、図８乃至図９に示すように、警棒本体１０１は、細長い円柱形状をした打撃部１１０と、打撃部１１０と隣接し、且つ、打撃部１１０よりも小径の円柱状であり手で握る部分となる柄部１２０と、打撃部１１０及び柄部１２０の中心を貫通するように形成された芯部１３０とを備えた構成となっている。
【０００３】
芯部１３０は、細長い円柱状で、ポリカーボネイトで出来ており、打撃部１１０及び柄部１２０を一体化して保持している。
【０００４】
打撃部１１０は、打撃を加えたとき打撃の衝撃を緩衝するための芯部１３０を被覆するようにエサフォームに代表される緩衝材で出来た緩衝部１１１が備えられている。
【０００５】
柄部１２０は、芯部１３０を被覆したグリップ部１２１を備えている。グリップ部１２１は、ＥＶＡ（エチレン・ビニル・アセテート）等で作成されている。
【０００６】
緩衝部１１１とグリップ部１２１は、被覆部１４１によって、連続的に被覆されている。即ち、被覆部１４１によって打撃部１１０と柄部１２０とが連続して覆われている。
【０００７】
被覆部１４１は、グリップ部１２１の警棒本体１０１の端部側を開口した袋形状となっている。
【０００８】
このように、被覆部１４１は柄部１２０にも覆われているため、使用時においては被覆部１４１の上から柄部１２０を握ることになる。従って、芯部１３０のうち打撃に該当する部分（被覆部１４１）が折れたとしても、被覆部１４１の内、柄部１２０を被覆した部分を手で固定しているため打撃部１１０と柄部１２０が離れることがなく、打撃部１１０が柄部１２０から分離して飛んでいくことがない。
【０００９】
また、被覆部１４１は、柄部１２０の打撃部１１０との隣接部分を被覆する部分に取り付けられた固定紐１４３によって被覆部１４１との柄部１２０を固定している。
【００１０】
こうすれば、使用時において、被覆部１４１と柄部１２０との固定は上記の手による固定に加えて、固定紐１４３による固定によっても行われるため、固定力が更に強固なものとなり、より打撃部１１０が柄部１２０から分離して飛んでいく可能性を低減することができる。
【００１１】
更に、被覆部１４１について、柄部１２０を被覆している部分に関しては、長さ方向についてスリットを設け、スリットの両側の縁部に面ファスナー１４５を取り付け、スリット両端の一部を重ね合わせて面ファスナー１４５を接着し、柄部１２０と被覆部１４１を密着及び固定、即ち係合させている。
【００１２】
こうすれば、使用時において、被覆部１４１と柄部１２０との固定は上記手段だけでなく、特に柄部１２０と被覆部１４１をぴったりとフィットさせた状態で面ファスナー１４５により固定でき、さらに固定力が強力となるため、より打撃部１１０が柄部１２０から分離して飛んでいく可能性を低減することができる。
【００１３】
又、固定紐１４３についても、紐、ゴム、接着材等のように、被覆部１４１と柄部１２０とを固定することが可能なものであれば特に限定されない。
【先行技術文献】
【特許文献】
【００１４】
【特許文献１】特開２００７−９７３３０号公報
【考案の概要】
【考案が解決しようとする課題】
【００１５】
しかしながら、従来技術で説明した逮捕術用ソフト警棒においては、特に手で握る柄部１２０と打撃を加える打撃部１１０とを同じ材質の部材、例えば、布製で形成されているため、特に柄部１２０においては把持したときの感触が悪くうまく把持することができないという問題がある。
【００１６】
又、柄部１２０の部分と打撃部１１０の部分とが同じ材質、例えば、布製で形成されていることで、柄部１２０の部分が使用していると序々に型くずれが生じてしまうこと、及び、手の汗がしみこみ感触が悪くなるという問題もある。
【００１７】
従って、逮捕術用ソフト警棒において、柄部と打撃部とを被覆する被覆部を設けた構造にする警棒において、特に柄部の部位の被覆部に改良を加えて、手で持ち易くすること、使用していても型くずれしない構造にすること、手の汗が容易にしみこまない構造にすることに解決しなければならない課題を有する。
【課題を解決するための手段】
【００１８】
上記課題を解決するために、本考案に係る逮捕術用ソフト警棒は、次に示す構成にすることである。
【００１９】
（１）逮捕術用ソフト警棒は、打撃を行ったときの衝撃を緩衝することができる逮捕術用ソフト警棒であって、細長い円柱形状に形成した打撃部と、該打撃部と隣接して前記打撃部より小径の円柱形状で手の把持部となる柄部と、前記打撃部及び前記柄部の中心を貫通するような芯部とを備え、前記打撃部及び前記柄部を被覆するように備えられた被覆部は、前記打撃部を被覆する帆布で形成された打撃被覆部と、前記柄部を被覆する皮革部材で形成された柄被覆部とからなり、前記打撃被覆部と前記柄被覆部とを付き合わせて結合させたことを特徴とする逮捕術用ソフト警棒。
（２）前記打撃被覆部と前記柄被覆部とを付き合わせての結合は縫い合わせて結合したことである（１）に記載の逮捕術用ソフト警棒。
【考案の効果】
【００２０】
以上、説明したように、本考案に係る逮捕術用ソフト警棒は、柄部の被覆を皮革部材で形成したことにより、手で把持する部位の被覆部が持ち易くなると共に、使用していても型くずれ等せず、使用による手の汗が容易にしみこまないという効果がある。
【図面の簡単な説明】
【００２１】
【図１】本願考案に係る逮捕術用ソフト警棒の断面図である。
【図２】同、逮捕術用ソフト警棒の組み立てる様子を示した説明図である。
【図３】同、第１の芯部の平面図である。
【図４】同、第２の芯部の平面図である。
【図５】同、把持部の平面図である。
【図６】同、第１の緩衝体の平面図である。
【図７】同、第２の緩衝体の平面図である。
【図８】従来技術における逮捕術用警棒の一部破断して示した断面図である。
【図９】同、グリップの部分を示した一部破断して示した断面図である。
【考案を実施するための形態】
【００２２】
次に、本考案に係る逮捕術用ソフト警棒の実施形態について、図面を参照して説明する。
【００２３】
本考案に係る逮捕術用ソフト警棒は、図８乃至図９を参照にして説明した従来技術のものと略同じ形状、即ち、打撃部と柄部を被覆部で覆う構造にする点で同じくするも、本願考案は特に柄部を覆う被覆部に皮革部材を使用することで把持し易くすると共に強度的にも布に比べて格段に強度なものとする点で従来の逮捕術用ソフト警棒とは異なるものである。
【００２４】
本願考案の逮捕術用ソフト警棒は、図１乃至図２に示すように、細長い円柱形状をした打撃部１１と、打撃部１１と隣接し、且つ、打撃部１１よりも小径の円柱状であり手で握る部分となる柄部１２と、柄部１２を構成する把持部１３に連結して打撃部１１側の中心軸となる芯部１４と、芯部１４の全周と前部を覆うように形成された緩衝体１５と、打撃部１１及び柄部１２の全体を覆うように形成された被覆部１６とから構成されている。
【００２５】
芯部１４は、ポリカーボネイトで形成され、細長い円柱状に形成された第１の芯部１７と、第１の芯部１７よりも若干細く円柱形状に形成された第２の芯部１８とからなり、第１の芯部１７に第２の芯部１８を連結し、第１の芯部１７は把持部１３の差し込み口に差し込まれて固定されている。
第１の芯部１７は、図１及び図３に示すように、細長い円柱状で、ポリカーボネイトで出来ており、一方の端部を把持部１３に係合して固定し、他方の端部に第２の芯部１８を結合する構造となっている。
第２の芯部１８は、図１及び図４に示すように、第１の芯部１７と同様に細長い円柱状でポリカーボネイトで出来ており、第１の芯部１７と端部を結合させて一体化させた構造となっている。
【００２６】
緩衝体１５は、芯部１４の連結されている第１の芯部１７と第２の芯部１８の全周表面を覆うように形成され内空空中の細長円柱形状のエサフォームで形成された第１の緩衝体１９と、第１の緩衝体１９の表面全周を覆う大きさの空洞で形成され且つ把持部１３の一部にまで覆う大きさに形成された細長円柱形状のエサフォームで形成された第２の緩衝体２１と、第２の緩衝体２１の前部に配置され第２の芯部１８の先端部に当接する円柱形状に形成された第３の緩衝体２２とからなる。
【００２７】
被覆部１６は、本願考案の主要となるもので、打撃部１１を覆うビニロン帆布で生成された打撃被覆部２３と、柄部１２を構成する把持部１３を覆うように形成され、皮革部材で生成された柄被覆部２４とからなる。皮革部材は人工皮革、天然皮革のいずれでもよい。
打撃被覆部２３と柄被覆部２４はそれぞれの端部を付き合わせて縫い合わせて結合されており、打撃被覆部２３側の布を内側に折り曲げて袋状にして固定紐２５を通す紐挿通部２６を備えた構成になっている。
柄被覆部２４には、長さ方向にスリット２７を設け、スリット２７の両側の縁部にチャックである線ファスナー２８を取り付け、スリット両端を線ファスナー２８で閉じる構成となっている。
【００２８】
柄部１２は、把持部１３からなり、この把持部１３は、図１及び図５に示すように、この把持部１３の素材は、ＥＶＡ（エチレン・ビニル・アセテート）等の比較的柔らかな素材で形成されている。この把持部１３は、手で把持する位置に２つの窪みを設け、第１の芯部１７を取り付ける側の所定位置に窪み２９を設けて固定紐２５をガイドする構造となっている。
【００２９】
このような構成の個々の部材の組み立ては、図２に示すように、先ず、把持部１３に芯部１４である第２の芯部１８を取り付けた第１の芯部１７を把持部１３に取り付け固定する。次に、この第１及び第２の芯部１７、１８に第１の緩衝体１９を貫通させて取り付ける。更に、この第１の緩衝体１９を貫通させるように第２の緩衝体２１を取り付け、把持部１３の窪み２９が出る位置にして第２の緩衝体２１に把持部１３を係合させる。
そして、第３の緩衝体２２を第２の緩衝体２１の先端部位に取り付け、被覆部１６の柄被覆部２４側から第３の緩衝体２２、第２の緩衝体２１を覆うように被せる。そして、柄被覆部２４が把持部１３を覆うようにして、ファスナー２８で係止する。これで被覆部１６は打撃部１１及び柄部１２の全体を覆うことができ、把持部１３においてはファスナー２８で係止したことで把持部１３に柄被覆部２４がフイットした状態で取り付けることができる。最後に、固定紐２５を把持部１３の窪み２９に係合させて結ぶことにより、被覆部１６が簡単に外れることがなくなる。
【産業上の利用可能性】
【００３０】
柄部と打撃部とを被覆する被覆部を設けた構造にするソフト警棒において、特に柄部の部位の被覆部を皮革部材で形成することで、手で持ち易くすること、使用していても型くずれしない構造にし、且つ手の汗が容易にしみこまない構造にしたソフト警棒を提供する。
【符号の説明】
【００３１】
１１      打撃部
１２      柄部
１３      把持部
１４      芯部
１５      緩衝体
１６      被覆部
１７      第１の芯部
１８      第２の芯部
１９      第１の緩衝体
２１      第２の緩衝体
２２      第３の緩衝体
２３      打撃被覆部
２４      柄被覆部
２５      固定紐
２６      紐挿通部
２７      スリット
２８      面ファスナー
２９      窪み
【図１】
0003159063.tif 000003
【図２】
0003159063.tif 000004
【図３】
0003159063.tif 000005
【図４】
0003159063.tif 000006
【図５】
0003159063.tif 000007
【図６】
0003159063.tif 000008
【図７】
0003159063.tif 000009
【図８】
0003159063.tif 000010
【図９】
0003159063.tif 000011